(57)【要約】【課題】  暴風雨の風圧や地震の揺れに変形しない四角形状パネル材の提供。【解決手段】  直角三角形を形成する表面側より裏面側に向かって３辺の起立片１Ｓａ，１Ｓｂ，１Ｓｃを設け、この３辺の起立片のうち直角を形成する２片１Ｓａ，１Ｓｂに隣接するパネル部材と接合する係止孔１ｈ，１ｈを設けた直角三角形状パネル部材１の二枚を１組として予め製造し、この直角三角形状パネル部材１の残った斜辺起立片１Ｓｃ同士を接合した四角形状パネル部材２。斜辺起立片１Ｓｃ同士の接合部分がトラフ構造機能を与える。【選択図】  図１
2014136901.tif 000002
【特許請求の範囲】
【請求項１】
直角三角形を形成する表面側より裏面側に向かって３辺の起立片を設け、この３辺の起立片のうち直角を形成する２片に隣接するパネル部材と接合する係止孔を設けた直角三角形状パネル部材の２枚を１組として予め製造し、この直角三角形状パネル部材の残った斜辺起立片同士を接合した四角形状パネル部材。
【発明の詳細な説明】
【技術分野】
【０００１】
本発明は、工作機械の密閉カバー装置の側壁形成用パネル部材、屋外物置の壁材、天井、床等形成用パネル部材、浚渫用打ち込みパネル、制御電相箱形成用パネル部材等として利用される四角形状パネル部材に関する。
【背景技術】
【０００２】
従来、前記用途の四角形状パネル部材としては、素材である板金の左右両側辺をヒンジ折り曲げして隣接するパネル部材またはパネル支持枠と結合する結合起立辺を設けたパネル部材、あるいは、板金の左右両側辺および上下辺の両方または片方をヒンジ折り曲げして隣接するパネル部材またはパネル支持枠および梁または四角枠体と結合する結合起立辺を設けたパネル部材が使用されている。
【０００３】
例えば、特開２００６−６２０３０号公報（特許文献１）は、作業テーブルおよび工作ツールをフレーム上に搭載した工作機械の安全扉であって、この安全扉は、工作機械の前記フレームを壁パネル板で囲繞するように設けられ、かつ、作業者が工作ツールに向かい合う工作機械の正面側の前記壁パネル部分に透明樹脂窓板が開閉自在に設けられていることを特徴とする工作機械の安全扉を開示する。また、前記安全扉を構成する部材を、工作機械のフレームの少なくとも前側、側面側および後側の一部を囲む据付基礎部材と、左右側面工作機械のフレームの左右側面に取り付けられる右枠体と左枠体、これらの右枠体と左枠体間に設置される扉部材、右枠体と左枠体間に設置される補強連結部材および右枠体と左枠体に嵌挿する壁パネル板とにプレファブリックしておき、このプレファブリック材を工作機械のフレーム近傍に次ぎの工程を経て安全扉に組み立てることを特徴とする、工作機械に安全扉を設置する方法を提示する。
（１）工作機械のフレーム下部に据付基礎部材を敷設し、フレームに対する位置合わせを行った後、据付基礎部材を床に固定する。
（２）昇降テーブルを備えた台車の上に前記右枠体または左枠体を載せる。
（３）前記枠体を載せた台車を工作機械のフレーム側面に近づける。
（４）前記枠体の底部面の位置が前記据付基礎部材の上面に面一に来るように台車の昇降テーブルを上昇させる。
（５）前記枠体を前記据付基礎部材の上面に移動させ、前記枠体に螺合した位置決めボルトが工作機械の位置確認部に当たる位置まで移動させる。
（６）台車の昇降テーブル上に他方の枠体を載せる。
（７）前記枠体の底部面の位置が前記据付基礎部材の上面に面一に来るように台車の昇降テーブルを上昇させる。
（８）前記枠体を前記据付基礎部材の上面に移動させ、前記枠体に螺合した位置決めボルトが工作機械の位置確認部に当たる位置まで移動させる。
（９）右枠体の底部と左枠体の底枠を補強連結部材で連結した後、右枠体と左枠体の位置微調整を行い、右枠体の底枠と左枠体の底枠を固定ボルトで前記据付基礎部材に固定する。
（１０）右枠体と左枠体に壁パネル板を固定する。
（１１）右枠体と左枠体間に扉部材を取り付けて安全扉を工作機械の前面側に設ける。
【０００４】
一方、プレハブ建屋の屋外パネル壁を暴風圧や地震の揺れから守りパネル壁の変形や脱落を防ぐために屋外パネル壁形成パネル部材を取り付ける柱またはＨ鋼柱間にトラス鉄索またはトラス木柱を斜め状にまたはＸ字状に設けることが実施されている。
【０００５】
また、特開２００９−２８７３３６号公報（特許文献２）は、ピン接合により直列に接
合された複数の上弦材と、該複数の上弦材の下方に配置されるとともに、ピン接合により直列に接合された複数の下弦材と、前記各上弦材のピン接合部と前記各下弦材のピン接合部との間を斜めに接合するブレースとを備えた可変トラス構造体が並列に複数配置され、各可変トラス構造体の両端の上弦材が躯体側に支持された可変トラス構造物により構成された構造であって、
隣接する一方の可変トラス構造体の上弦材の上部と隣接する他方の可変トラス構造体の上弦材の上部との間に架設される複数のパネル部材と、
該各パネル部材を、前記一方の可変トラス構造体の上弦材の上部及び前記他方の可変トラス構造体の上弦材の上部に、両可変トラス構造体の各上弦材の移動に追従して移動可能に支持する支持手段とを備えてなることを特徴とする可変トラス構造物により構成された構造を提案する。
【先行技術文献】
【特許文献】
【０００６】
【特許文献１】特開２００６−６２０３０号公報
【特許文献２】特開２００９−２８７３３６号公報
【発明の概要】
【発明が解決しようとする課題】
【０００７】
２０１１年３月１１日の東北大地震により従来の四角形状パネル部材が変形してパネル壁にへこみや折れ曲がりを生じ、ひどい事態においては、支持枠、固定枠（柱も含む）よりパネル壁が脱落する事態が生じた。
【０００８】
本発明者は、四角形状パネル部材自体がトラス構造を備えれば上記事態の発生を防ぐと着想した。
【課題を解決するための手段】
【０００９】
請求項１の発明は、直角三角形を形成する表面側より裏面側に向かって３辺の起立片を設け、この３辺の起立片のうち直角を形成する２片に隣接するパネル部材と接合する係止孔を設けた直角三角形状パネル部材の２枚を１組として予め製造し、この直角三角形状パネル部材の残った斜辺起立片同士を接合した四角形状パネル部材を提供するものである。
【発明の効果】
【００１０】
斜辺起立片同士を接合した斜め接合部分が四角形状パネル部材のトラス構造を示すので、大地震に対する横揺れ防止、暴風の風圧対策効果を発揮する。また、係止孔を設けた起立片は、この係止孔を利用して隣接する四角形状パネル部材や支持枠にボルト締め、または、リベット締め、熔接等により接合でき、大きなサイズの四角形状パネル壁材へと作製することができる。
【図面の簡単な説明】
【００１１】
【図１】図１は四角形状パネル部材を製造する工程を示す図である。
【図２】図２は四角形状パネル部材を利用した工作機械の密閉カバー装置の正面図である。
【発明を実施するための形態】
【実施例】
【００１２】
以下、図１を用いて本発明の四角形状パネル部材２を製造する工程を説明する。
図１ａにおいて、直角三角形を形成する表面１ａ側より裏面側に向かって３辺の起立片１Ｓ1，１Ｓ２，１Ｓ３を設け、この３辺の起立片のうち直角を形成する２片１Ｓａ，１
Ｓｂに隣接するパネル部材１と接合する係止孔１ｈを設けた直角三角形状パネル部材１の
２枚を１組として予め製造する。
【００１３】
ついで、この直角三角形状パネル部材１，１の残った斜辺起立片同士をボルトナット４締め、リベット締め、熔接等で接合して本発明の四角形状パネル部材２を製造する（裏面側から見た斜視図１ｂを参照のこと）。前記斜辺起立片同士の接合部分は、筋交い（トラス構造）として機能し、四角形状パネル部材の前面パネル壁を地震や暴風雨による変形から守る機能を与える。
【００１４】
図１ｃは四角形状パネル壁材３を裏面側から見た斜視図であって、この四角形状パネル壁材３は、前記の４枚の四角形状パネル部材２，２，２，２を前述の係止孔１ｈを利用してボルトナット４締めして作成したものである。
【００１５】
前記直角三角形状パネル部材１の前面は、化粧鋼板を素材としたものであってもよいし、四角形状パネル部材２を作成後に、ラップ用化粧紙を貼ってもよい。
【００１６】
直角三角形状パネル部材１の辺の寸法は、用いる用途により辺の長さを変えてもよい。図２に寸法を変えた四角形状パネル部材２，２の多数を工作機械（研削盤）ｍの密閉カバー装置形成用の化粧パネル壁材として配置した施工例を示す。
【００１７】
本発明の四角形状パネル部材２は、密閉カバー装置の側壁、天井、背面壁、正面壁を形成するパネル部材として利用できる外、屋外物置の壁材、天井、床等形成用パネル部材、浚渫用打ち込みパネル、制御電相箱形成用パネル部材等として利用することができる。
【産業上の利用可能性】
【００１８】
本発明の四角形状パネル部材２の斜辺起立片同士を接合した接合部分は、筋交い（トラス構造）として機能し、四角形状パネル部材２より形成された四角形状パネル壁材３を地震や暴風雨による変形や脱落から守る機能を与える。
【符号の説明】
【００１９】
１  直角三角形状パネル部材
１Ｓａ，１Ｓｂ，１Ｓｃ  起立片
１ｈ  係止孔
２  四角形状パネル部材
３  四角形状パネル壁材
４  ボルトナット
【図１】
2014136901.tif 000003
【図２】
2014136901.tif 000004